(57)【要約】【課題】制御回路基板と、印刷回路基板とを１つの筐体に収納する印刷装置において、製造コストを抑制しつつ、印刷回路基板のリセットを可能とする。【解決手段】ＰＯＳ端末１は、制御回路基板２５、及び、制御回路基板２５の制御の下、印刷機構４１を制御する印刷回路基板２６を収納する筐体と、電源をオン／オフするための１つの電源スイッチ１４と、筐体に対する操作に基づいて、印刷回路基板２６をリセットするメイン制御部２８と、を備えている。【選択図】図２
2014193565.tif 000002
【特許請求の範囲】
【請求項１】
印刷機構を制御する印刷回路基板と、
電源をオン／オフするための電源スイッチが接続された制御回路基板と、
前記制御回路基板と前記印刷回路基板とを収納する筐体と、
前記筐体に対する操作に基づいて、前記印刷回路基板をリセットする制御部と、を備えることを特徴とする印刷装置。
【請求項２】
前記筐体に対する操作に応じて検出値を前記制御部に出力するセンサーが設けられ、
前記制御部は、
前記センサーから入力された検出値に基づいて、前記印刷回路基板をリセットすることを特徴とする請求項１に記載の印刷装置。
【請求項３】
前記制御部は、
印刷に関する所定のエラーが発生している場合であって、前記センサーから所定の検出値が入力された場合に、前記印刷回路基板をリセットすることを特徴とする請求項２に記載の印刷装置。
【請求項４】
前記センサーは、カバーの開閉を検出するカバーセンサーであることを特徴とする請求項２又は３に記載の印刷装置。
【請求項５】
印刷機構を制御する印刷回路基板と、電源をオン／オフするための電源スイッチが接続された制御回路基板と、前記制御回路基板と前記印刷回路基板とを収納する筐体と、を備える印刷装置の制御方法であって、
前記筐体に対する操作に基づいて、前記印刷回路基板をリセットすることを特徴とする印刷装置の制御方法。
【請求項６】
印刷機構を制御する印刷回路基板と、電源をオン／オフするための電源スイッチが接続された制御回路基板と、前記制御回路基板と前記印刷回路基板とを収納する筐体と、を備える印刷装置を制御する制御部により実行されるプログラムであって、
前記制御部に、
前記筐体に対する操作に基づいて、前記印刷回路基板をリセットさせることを特徴とするプログラム。
【発明の詳細な説明】
【技術分野】
【０００１】
本発明は、印刷機能を有する印刷装置、当該印刷装置の制御方法、及び、当該印刷装置を制御するためのプログラムに関する。
【背景技術】
【０００２】
従来、ホストコンピューターの制御の下、記録媒体に画像を印刷するプリンターが知られている（例えば、特許文献１参照）。そして、近年、ホストコンピューターに係る制御回路基板と、プリンターに係る印刷回路基板とが１つの筐体に収納され、ホストコンピューターの機能、及び、プリンターの機能の双方が実装された印刷装置が流通している。
【先行技術文献】
【特許文献】
【０００３】
【特許文献１】特開２００８−２６９３２４号公報
【発明の概要】
【発明が解決しようとする課題】
【０００４】
ここで、上述した印刷装置のように、制御回路基板と、印刷回路基板とを１つの筐体に収納する装置では、印刷回路基板のみをリセットしたい場合が生じ得る。例えば、印刷機構に関するエラーの中には、エラーの発生後、エラーの解消に係る作業を行なって、印刷回路基板のリセットを行なえば、解消するものもある。このようなエラーが発生した場合は、印刷回路基板のみをリセットすることが求められる。特に、例えば、印刷回路基板のみをリセットするための専用の機構を設ける等することなく、できるだけ製造コストを抑制しつつ、上記に求めに応えたいとするニーズがある。
本発明は、上述した事情に鑑みてなされたものであり、制御回路基板と、印刷回路基板とを１つの筐体に収納する印刷装置において、製造コストを抑制しつつ、印刷回路基板のリセットを可能とすることを目的とする。
【課題を解決するための手段】
【０００５】
上記目的を達成するために、本発明は、印刷機構を制御する印刷回路基板と、電源をオン／オフするための電源スイッチが接続された制御回路基板と、前記制御回路基板と前記印刷回路基板とを収納する筐体と、前記筐体に対する操作に基づいて、前記印刷回路基板をリセットする制御部と、を備えることを特徴とする。
この構成によれば、電源スイッチのオフ、オンが行なわれると、制御回路基板、及び、印刷回路基板の双方がリセットされることとなる一方、所定の操作を行なうことにより、印刷回路基板のみをリセットさせることができる。このため、回路基板ごとに電源スイッチを個別に設けたり、その他の特別な機構を設けたりすることなく、すなわち、製造コストを抑制しつつ、印刷回路基板のリセットが可能となる。
【０００６】
また、本発明は、前記筐体に対する操作に応じて検出値を前記制御部に出力するセンサーが設けられ、前記制御部は、前記センサーから入力された検出値に基づいて、前記印刷回路基板をリセットすることを特徴とする。
この構成によれば、印刷回路基板のリセットとのトリガーとなる操作が行なわれたことを適切に検出できる。
【０００７】
また、本発明は、前記制御部は、印刷に関する所定のエラーが発生している場合であって、前記センサーから所定の検出値が入力された場合に、前記印刷回路基板をリセットすることを特徴とする。
ここで、印刷に関する所定のエラーが発生している場合に、印刷回路基板のリセットの実行が求められる場合があるが、上記構成によれば、このような場合に、印刷回路基板をリセットすることが可能となる。
【０００８】
また、本発明は、前記センサーは、カバーの開閉を検出するカバーセンサーであることを特徴とする。
この構成によれば、カバーを利用した簡易な操作で、印刷回路基板をリセットすることができる。
【０００９】
また、上記目的を達成するために、本発明は、印刷機構を制御する印刷回路基板と、電源をオン／オフするための電源スイッチが接続された制御回路基板と、前記制御回路基板と前記印刷回路基板とを収納する筐体と、を備える印刷装置の制御方法であって、前記筐体に対する操作に基づいて、前記印刷回路基板をリセットすることを特徴とする。
この制御方法によれば、電源スイッチのオフ、オンが行なわれると、制御回路基板、及び、印刷回路基板の双方がリセットされることとなる一方、所定の操作を行なうことにより、印刷回路基板のみをリセットさせることができる。このため、回路基板ごとに電源スイッチを個別に設けたり、その他の特別な機構を設けたりすることなく、すなわち、製造コストを抑制しつつ、印刷回路基板のリセットが可能となる。
【００１０】
また、上記目的を達成するために、本発明は、印刷機構を制御する印刷回路基板と、電源をオン／オフするための電源スイッチが接続された制御回路基板と、前記制御回路基板と前記印刷回路基板とを収納する筐体と、を備える印刷装置を制御する制御部により実行されるプログラムであって、前記制御部に、前記筐体に対する操作に基づいて、前記印刷回路基板をリセットさせることを特徴とする。
このプログラムを実行することにより、電源スイッチのオフ、オンが行なわれると、制御回路基板、及び、印刷回路基板の双方がリセットされることとなる一方、所定の操作を行なうことにより、印刷回路基板のみをリセットさせることができる。このため、回路基板ごとに電源スイッチを個別に設けたり、その他の特別な機構を設けたりすることなく、すなわち、製造コストを抑制しつつ、印刷回路基板のリセットが可能となる。
【発明の効果】
【００１１】
本発明によれば、制御回路基板と、印刷回路基板とを１つの筐体に収納する印刷装置において、製造コストを抑制しつつ、印刷回路基板をリセットすることが可能となる。
【図面の簡単な説明】
【００１２】
【図１】本実施形態に係るＰＯＳ端末の外観斜視図である。
【図２】ＰＯＳ端末の機能的構成を示すブロック図である。
【図３】ＰＯＳ端末の動作を示すフローチャートである。
【発明を実施するための形態】
【００１３】
以下、図面を参照して本発明の実施形態について説明する。
図１は、本実施形態に係るＰＯＳ端末１（印刷装置）の外観斜視図である。
このＰＯＳ端末１は、スーパーマーケットや、デパートコンビニエンス等に適用されたいわゆるＰＯＳシステムの一部を構築する端末である。ＰＯＳ端末１は、例えば、スーパーマーケットのレジに設置される。ＰＯＳ端末１は、少なくとも、（１）接続されたバーコードリーダー（不図示）や、カードリーダーからの入力、また、レジの担当者の入力を受け付ける機能、（２）受け付けた入力に基づいて会計に係る各種処理を実行する機能、及び、（３）会計に係る各種処理に基づいてレシートを発行する機能、を有している。
ＰＯＳ端末１は、後に詳述するように、レシートを発行するレシートプリンターと、このプリンターを制御するホストコンピューターとが一体となって構成された端末である。
【００１４】
ＰＯＳ端末１は、筐体１０と、この筐体１０の上方に設けられたタッチパネル１１と、を有している。
筐体１０には、制御回路基板２５や、印刷回路基板２６、印刷機構４１（いずれも後述）が収納されると共に、ロール状のロール紙Ｒが収納されるロール紙収納部が内部に形成されている。筐体１０の前面１２の上部には、ロール紙Ｒを排出するための排出口１３が設けられている。この排出口１３の右下には、ＰＯＳ端末１の電源をオン／オフするための電源スイッチ１４が設けられ、この電源スイッチ１４の下方には、ロール紙Ｒをオートフィードするためのフィードスイッチ１５が設けられている。これらスイッチの左方には、ＰＯＳ端末１の状態や、動作モード、エラーの発生の有無等を報知するためのＬＥＤ１６が設けられている。
筐体１０の上面１７から背面にかけてカバー１８が設けられている。カバー１８を開状態とすると、上述したロール紙収納部が露出し、ロール紙Ｒの出し入れが可能となる。
タッチパネル１１は、表示パネル２０と、表示パネル２０に重ねて配置されたタッチセンサー２１とを備えている。
このタッチパネル１１には、レジの担当者が各種入力を行なうためのユーザーインターフェースが表示され、ユーザーは表示内容を参照しつつ、タッチ操作を行なって各種入力を行なう。
【００１５】
図２は、ＰＯＳ端末１の回路構成、及び、機能的構成を示す図である。
図２に示すように、ＰＯＳ端末１の筐体１０には、制御回路基板２５と、印刷回路基板２６と、が収納されている。制御回路基板２５と、印刷回路基板２６とは、専用のコネクターＣＴ１、及び、コネクターＣＴ２を介して接続されている。
制御回路基板２５には、メイン制御部２８（制御部）と、メモリー２９と、表示制御回路３０と、入力検出回路３１と、ＬＥＤ駆動回路３２と、ネットワークインターフェース３３と、デバイスインターフェース３４と、が実装されている。
メイン制御部２８は、ＣＰＵや、周辺回路等を備え、ＰＯＳ端末１の各部を中枢的に制御する。メモリー２９は、ＥＥＰＲＯＭ等の不揮発性メモリーを備え、各種データを書き換え可能に不揮発的に記憶する。表示制御回路３０は、メイン制御部２８の制御の下、表示パネル２０に各種画像を表示する。入力検出回路３１は、タッチセンサー２１に対する操作を検出し、メイン制御部２８に出力する。ＬＥＤ駆動回路３２は、メイン制御部２８の制御の下、ＬＥＤ１６を駆動する。ネットワークインターフェース３３には、ＬＡＮや、インターネット等のネットワークを介して外部機器が接続される。ネットワークインターフェース３３は、メイン制御部２８の制御の下、接続された外部機器と所定の通信規格に準拠して通信する。例えば、ＰＯＳ端末１には、顧客マスターや、商品マスターを記憶し、ＰＯＳシステム全体を統括的に管理するＰＯＳサーバーが接続される。デバイスインターフェース３４には、バーコードリーダーや、カードリーダー、キーボード等の各種デバイスが接続される。デバイスインターフェース３４は、メイン制御部２８の制御の下、接続されたデバイスと所定の通信規格に準拠して通信する。
また、メイン制御部２８には電源スイッチ１４の検出値が入力され、メイン制御部２８は、入力された検出値に基づいて、電源スイッチ１４の電源のオンを指示する操作がされたこと、又は、オフを指示する操作がされたことを検出する。また、メイン制御部２８には、カバーセンサー３５の検出値が入力される。カバーセンサー３５は、カバー１８が開状態のときと、閉状態のときとで異なる信号をメイン制御部２８に出力するセンサーである。メイン制御部２８は、カバーセンサー３５から入力された検出値に基づいて、カバー１８が開状態であること、又は、閉状態であることを検出する。
【００１６】
また、印刷回路基板２６には、プリンター制御部４０が実装されている。プリンター制御部４０は、ＣＰＵや、周辺回路等を備え、印刷機構４１を制御して、レシートを発行する。
印刷機構４１は、ロール紙Ｒの印刷面に熱を与えることにより、画像を印刷するサーマルヘッド４２や、ロール紙Ｒを搬送する搬送機構４３、所定の位置でロール紙を切断する切断機構４４等を備えており、プリンター制御部４０の制御の下、これら機構や装置を動作させて、レシートを発行する。
プリンター制御部４０には、フィードスイッチ１５の検出値が入力され、プリンター制御部４０は、入力された検出値に基づいて、印刷機構４１の搬送機構４３等を制御して、オートフィード（ロール紙Ｒの自動搬送）を実行する。
【００１７】
また、ＰＯＳ端末１は、電源制御部４６を備えている。電源制御部４６は、メイン制御部２８の制御の下、例えば１００ボルトの商用電源を、所定の電圧の直流電源に変換して、ＰＯＳ端末１の各部に供する。
メイン制御部２８は、電源がオンされているときに、電源スイッチ１４に対して電源をオフすることを指示する操作がされたことを検出すると、正常に電源をオフするための所定の処理をプリンター制御部４０と協働して実行する。次いで、メイン制御部２８は、電源制御部４６を制御して、電源をオフする。
一方、メイン制御部２８は、電源がオフされているときに、電源スイッチ１４に対して電源をオンすることを指示する操作がされたことを検出すると、所定の初期処理をプリンター制御部４０と協働して実行し、電源をオンする。
プリンター制御部４０が実行する初期処理には、例えば、サーマルヘッド４２や、搬送機構４３、切断機構４４、その他の各種モーターの初期動作確認、各種バッファーのクリアー等がある。
このように、電源をオフした後、オンすることにより、制御回路基板２５、及び、印刷回路基板２６の双方をリセットすることができる。
【００１８】
次に、レシートを発行するときのＰＯＳ端末１の動作について説明する。
メモリー２９には、プリンタードライバーがロード可能に記憶されている。メイン制御部２８は、プリンタードライバーの機能により、タッチパネル１１に表示されたユーザーインターフェースに対してユーザーが入力した情報や、デバイスから入力された情報、ＰＯＳサーバーから通信によって取得した情報等に基づいて、レシートの発行を指示する制御コマンドを生成する。次いで、メイン制御部２８は、生成した制御コマンドをプリンター制御部４０に出力する。
プリンター制御部４０が備えるＲＯＭには、ファームウェアがロード可能に記憶されている。プリンター制御部４０は、入力された制御コマンドに基づいて、ファームウェアの機能により、印刷機構４１を制御して、レシートを発行する。
【００１９】
ところで、印刷に関するエラーの中には、エラーの発生後、エラーの解消に係る所定の作業を行なって（エラーによってはユーザーが作業を行なうことなく）、印刷回路基板２６のリセットを行なえば、解消するものもある。例えば、サーマルヘッド４２に関するエラーは、リセットに伴う初期処理で行なわれるサーマルヘッド４２の初期動作確認によって解消するものがある。また例えば、印刷結果の不具合は、バッファーのクリアーによって解消するものがある。
このようなエラーが発生した場合は、制御回路基板２５をリセットせずに当該基板の状態を維持しつつ、印刷回路基板２６のみをリセットすることが求められる。しかしながら、本実施形態に係るＰＯＳ端末１の構成では、電源スイッチ１４の切替えによってリセットを行なった場合、制御回路基板２５、及び、印刷回路基板２６の双方の回路基板がリセットされてしまう。
また、印刷回路基板２６のみをリセットするための専用の機構（例えば、専用のスイッチ）を設ける等することも考えられるが、製造コストの増大につながる。
以上を踏まえ、本実施形態に係るＰＯＳ端末１は、以下の動作を行なう。
【００２０】
図３は、ＰＯＳ端末１の動作を示すフローチャートである。
図３のフローチャートの開始時点では、ＰＯＳ端末１の電源はオンされているものとする。
ＰＯＳ端末１のメイン制御部２８は、所定のエラーが発生したか否かを監視する（ステップＳＡ１）。所定のエラーは、事前にユーザーによって設定される。所定のエラーとしては、リセットを行なうことによって解消することが見込まれるものが想定されているが、この限りではない。
所定のエラーが発生した場合（ステップＳＡ１：ＹＥＳ）、メイン制御部２８は、カバーセンサー３５から入力された検出値に基づいて、カバー１８が一旦開状態とされた後、閉状態とされたか否かを監視する（ステップＳＡ２）。換言すれば、ステップＳＡ２において、メイン制御部２８は、ユーザーが、所定のエラーが発生後、カバーを開け閉めしたか否かを監視する。
カバー１８が開状態とされた後、閉状態とされた場合、メイン制御部２８は、所定の信号をプリンター制御部４０に出力することにより、印刷回路基板２６をリセットする（ステップＳＡ３）。当該リセットに伴って、初期処理が実行され、エラーによっては、解消する。
【００２１】
以上説明したように、本実施形態に係るＰＯＳ端末１は、制御回路基板２５、及び、制御回路基板２５の制御の下、印刷機構４１を制御する印刷回路基板２６を収納する筐体１０と、電源をオン／オフするための１つの電源スイッチ１４と、筐体１０に対する操作に基づいて、印刷回路基板２６をリセットするメイン制御部２８と、を備えている。
この構成によれば、電源スイッチ１４のオフ、オンが行なわれると、制御回路基板２５、及び、印刷回路基板２６の双方がリセットされることとなる一方、所定の操作（御礼では、カバー１８の開閉）を行なうことにより、印刷回路基板２６のみをリセットさせることができる。このため、回路基板ごとに電源スイッチ１４を個別に設けたり、その他の特別な機構を設けたりすることなく、すなわち、製造コストを抑制しつつ、印刷回路基板２６のリセットが可能となる。
【００２２】
また、本実施形態では、筐体１０に対する操作に応じて検出値をメイン制御部２８に出力するセンサーが設けられており、メイン制御部２８は、センサーから入力された検出値に基づいて、印刷回路基板２６をリセットする。
より具体的には、本実施形態では、メイン制御部２８は、印刷に関する所定のエラーが発生している場合であって、カバーセンサー３５から所定の検出値が入力された場合に、印刷回路基板２６をリセットする。
この構成によれば、印刷回路基板のリセットとのトリガーとなる操作が行なわれたことを適切に検出できる。さらに、リセットにより解消することが見込まれるエラーが発生している場合、換言すれば、印刷回路基板２６のリセットの実行が求められる場合があるに、印刷回路基板をリセットすることが可能となる。
さらに、上記構成によれば、ユーザーは、カバー１８を利用した簡易な操作で、印刷回路基板２６をリセットすることができる。
【００２３】
なお、上述した実施の形態は、あくまでも本発明の一態様を示すものであり、本発明の範囲内で任意に変形および応用が可能である。
上述した実施形態では、印刷回路基板２６のリセットのトリガーとなる操作は、所定のエラー発生時におけるカバー１８の開閉であったが、当該トリガーとなる操作は、これに限られない。例えば、所定期間に、所定回数以上カバー１８を開閉した場合や、電源スイッチ１４を押下した状態でカバー１８が開閉されたこと等、メイン制御部２８がセンサーの検出値に基づいて、操作を検出できるものであれば何であってもよい。
また、上述した実施形態では、印刷回路基板２６をリセットする主体は、メイン制御部２８であったが、例えば、プリンター制御部４０であってもよく、他に制御部が設けられている場合は、当該他の制御部であってもよい。印刷回路基板２６をリセットする主体が「制御部」として機能する。
例えば、ＰＯＳ端末１は、サーマルヘッド４２を備えていたが、印刷ヘッドの形式は何であってもよい。また、ＰＯＳ端末１は、店舗に適用されたＰＯＳシステムの一部を構成するものであったが、本願発明は、使用の目的にかかわらず、制御回路基板２５、及び、印刷回路基板２６を収納する１つの筐体１０に収納する印刷装置に広く適用可能である。
また例えば、図２に示す各機能ブロックはハードウェアとソフトウェアの協働により任意に実現可能であり、特定のハードウェア構成を示唆するものではない。また、ＰＯＳ端末１の各機能ブロックの機能を、これら装置に外部接続される別の装置に持たせるようにしてもよい。また、ＰＯＳ端末１は、外部接続される記憶媒体に記憶させたプログラムを実行することにより、各種動作を実行してもよい。
【符号の説明】
【００２４】
１…ＰＯＳ端末（印刷装置）、１０…筐体、１４…電源スイッチ、１８…カバー、２５…制御回路基板、２６…印刷回路基板、２８…メイン制御部（制御部）、３５…カバーセンサー（センサー）、４０…プリンター制御部、４１…印刷機構。
【図１】
2014193565.tif 000003
【図２】
2014193565.tif 000004
【図３】
2014193565.tif 000005